(57)【要約】    【課題】      双方向サービスを提供する放送通信連携サービスにおいて、情報を保持する通信サーバの通信負荷を軽減すること。    【解決手段】  放送局１０１は、放送する番組の関連情報を複数の通信サーバ１０２にそれぞれ格納して置き、番組に関する映像、音声、データ、字幕/文字スーパ等に加えて、データに複数の通信サーバ１０２それぞれの接続先情報と接続先選択処理プログラムとを多重化してテレビ電波に載せて放送する。ＤＴＶ受信機１０４は、受信した処理プログラムを実行することで、受信した複数の接続先情報から１つの接続先を選択し、その選択した１つの接続先に対して接続する。これによって、ＤＴＶ受信機１０４が接続する通信サーバは、複数の通信サーバに分散されるので、各通信サーバの処理負荷は軽減される。  【選択図】      図１
2006148563.tif 000002
【特許請求の範囲】
【請求項１】
放送波中にネットワーク経由でアクセス可能な情報への接続先情報を挿入することにより双方向サービスを提供する放送通信連携システムにおいて、放送局は、前記通信サーバとして同一の情報を保持し互いに異なる接続先情報を有する複数の通信サーバを用意し、放送するデジタル放送波中に、複数の接続先情報と複数の接続先から１つの接続先を選択する処理プログラムとを挿入する機構を具備し、端末は、受信した前記デジタル放送波から前記複数の接続先情報と前記処理プログラムとを取り出す取得手段と、取り出した前記処理プログラムを実行させて前記複数の接続先から１つの接続先を選択する選択手段と、選択した接続先の通信サーバに前記ネットワークを介して接続して通信する接続手段と、を具備することを特徴とする放送通信連携システム。
【請求項２】
端末における前記選択手段では、ユーザからの入力情報に基づき前記処理プログラムが前記複数の接続先から１つの接続先を選択することを特徴とする請求項１記載の放送通信連携システム。
【請求項３】
端末における前記選択手段では、ユーザからの要求を受けて当該端末の位置情報を取り込み、前記処理プログラムが当該位置情報に基づき前記複数の接続先から１つの接続先を選択することを特徴とする請求項１記載の放送通信連携システム。
【発明の詳細な説明】
【技術分野】
【０００１】
本発明は、双方向サービスを提供する放送通信連携システムに関する。
【背景技術】
【０００２】
デジタル放送では、テレビ放送に加えてデータ放送も行えるので、放送と通信を連携させる例えば図１１に示すような放送通信連携システムを設けることで、視聴者がテレビ放送に対して何らかの働きかけが行える双方向サービスを実現することができる。
【０００３】
図１１は、従来の放送通信連携システムの全体構成図である。図１１において、デジタル放送を行う放送局１１０１は、インターネット１１０３からアクセス可能な情報を保持する通信サーバ１１０２を備えている。端末であるデジタル放送受信機（ＤＴＶ受信機）１１０４は、通常のアナログ受像機が備える映像、音声の処理機能に加えて、デジタルデータの処理機能とネットワーク接続機能とを有している。
【０００４】
放送局１１０１は、情報を通信サーバ１１０２に格納して置き、番組に関する映像、音声、データ、字幕／文字スーパ等に加えて、データ中に通信サーバの１１０２の接続先情報を多重化してテレビ電波に載せて放送する。
【０００５】
ＤＴＶ受信機１１０４は、受信したテレビ電波中の接続先情報に基づきインターネット１１０３を経由して通信サーバ１１０２に接続し、通信サーバ１１０２から情報を取得することや、通信サーバ１１０２に対してアンケートへの回答等を行うことができる。
【０００６】
しかし、双方向サービスでは、通信サーバ１１０２に対し、多くのＤＴＶ受信機１１０４が同じようなタイミングで接続要求を行うことが想定される。そのような場合には、通信サーバ１１０２へのアクセスが集中して輻輳が起こり、ユーザからの要求に対応できない状況が発生する。
【０００７】
この通信サーバへのアクセス集中を回避するため方法として、例えば特許文献１では、ＣＡＴＶ局を対象に、各受信機の接続が集中するＣＡＴＶ局内に、通信サーバに対する通信を処理（加工、選別等）するデータ処理装置を設置することによって、通信サーバの通信負荷を軽減する方法が提案されている。
【特許文献１】特開２００３−２３５０２６号公報
【発明の開示】
【発明が解決しようとする課題】
【０００８】
しかしながら、通信サーバへのアクセスを集中的に処理する装置を設けることによって通信サーバの通信負荷を軽減する方法では、全ての通信負荷を処理可能な高性能の集中処理装置を別途設置する必要があるという問題がある。
【０００９】
本発明は、かかる点に鑑みてなされたものであり、放送番組に関連する情報を保持する通信サーバの通信負荷を、全ての通信負荷を処理可能な高性能の集中処理装置を用意することなく、軽減することができる放送通信連携システムを提供することを目的とする。
【課題を解決するための手段】
【００１０】
かかる課題を解決するため、本発明に係る放送通信連携システムは、放送波中にネットワーク経由でアクセス可能な情報への接続先情報を挿入することにより双方向サービスを提供する放送通信連携システムにおいて、放送局は、前記通信サーバとして同一の情報を保持し互いに異なる接続先情報を有する複数の通信サーバを用意し、放送するデジタル放送波中に、複数の接続先情報と複数の接続先から１つの接続先を選択する処理プログラムとを挿入する機構を具備し、端末は、受信した前記デジタル放送波から前記複数の接続先情報と前記処理プログラムとを取り出す取得手段と、取り出した前記処理プログラムを実行させて前記複数の接続先から１つの接続先を選択する選択手段と、選択した接続先の通信サーバに前記ネットワークを介して接続して通信する接続手段と、を具備する構成を採る。
【００１１】
この構成によれば、端末が接続する通信サーバを複数の通信サーバに分散させることができるので、各通信サーバの通信負荷を軽減することができる。
【００１２】
本発明に係る放送通信連携システムは、上記の発明において、端末における前記選択手段では、ユーザからの入力情報に基づき前記処理プログラムが前記複数の接続先から１つの接続先を選択するという構成を採る。
【００１３】
この構成によれば、例えば、通信サーバでは、端末からの応答を用いて端末利用者の個人プロファイルに基づき集計することができ、端末利用者では、通信サーバにおける異なるコンテンツへのアクセスが可能となる。
【００１４】
本発明に係る放送通信連携システムは、上記の発明において、端末における前記選択手段では、ユーザからの要求を受けて当該端末の位置情報を取り込み、前記処理プログラムが当該位置情報に基づき前記複数の接続先から１つの接続先を選択するという構成を採る。
【００１５】
この構成によれば、例えば、端末からの応答を地域毎や利用場所毎に集計することや、端末のキャリア毎や機種毎に集計することが容易に可能となる。
【発明の効果】
【００１６】
本発明によれば、全ての通信負荷を処理可能な高性能の集中処理装置を用意することなく、前記通信サーバの処理負荷を軽減することができる。
【発明を実施するための最良の形態】
【００１７】
本発明の骨子は、ネットワークからアクセス可能な通信サーバに情報を保持して双方向サービスを提供する放送通信連携システムにおいて、放送局は、前記通信サーバとして同一の情報を保持する複数の通信サーバを互いに異なる接続先情報を割り当てて用意し、端末が接続する通信サーバを複数の通信サーバに分散させて各通信サーバの通信負荷を軽減することである。
【００１８】
以下、本発明の実施の形態について図面を参照して詳細に説明する。
【００１９】
（実施の形態１）
図１は、本発明の実施の形態１に係る放送通信連携システムの全体構成図である。図２は、図１に示すデジタル放送受信機（ＤＴＶ受信機）の構成例を示すブロック図である。図１において、デジタル放送を行う放送局１０１は、同一内容の情報を保持する複数の通信サーバ１０２をインターネット１０３からアクセス可能に備えている。複数の通信サーバ１０２は、互いに異なる接続先情報を有している。
【００２０】
放送局１０１は、放送する番組の関連情報を複数の通信サーバ１０２にそれぞれ格納して置き、番組に関する映像、音声、データ、字幕/文字スーパ等に加えて、複数の通信サーバ１０２それぞれの接続先情報と接続先選択処理プログラムとを多重化してテレビ電波に載せて放送する。なお、接続先選択処理プログラムは、複数の接続先から１つの接続先を選択する処理プログラムである。
【００２１】
端末であるデジタル放送受信機（ＤＴＶ受信機）１０４は、例えば図２に示すように、通常のアナログ受像機が備えるような映像、音声の処理機能に加えて、デジタルデータの処理機能とネットワーク接続機能とを有している。
【００２２】
図２において、テレビ受信アンテナ２０１にて受信されたテレビ無線信号は、受信ブロック２０２にて復調され、デジタルベースバンド信号となって多重分離部２０３に入力する。多重分離部２０３では、入力するデジタルベースバンド信号から、音声データ信号と映像データ信号と放送データ信号とを分離して取り出し、音声データ信号は音声処理ブロック２０４に与え、映像データ信号は映像処理ブロック２０５に与え、放送データ信号はデータ処理ブロック２０６に与える。データ処理ブロック２０６には、ネットワーク接続機能部（通信制御ブロック２０７、通信データ解釈ブロック２０８）が接続されている。
【００２３】
音声処理ブロック２０４では、受け取った音声データ信号によってスピーカ２０９を鳴動させ、音響を出力させる。映像処理ブロック２０５では、受け取った映像データ信号によって映像を表示部２１０に描画する。
【００２４】
データ処理ブロック２０６は、データ解釈ブロック２１１、接続先情報抽出ブロック２１２、プログラム抽出ブロック２１３、プログラム実行ブロック２１４などを備え、プログラム実行ブロック２１４には、ユーザ入力ブロック２１５が接続されている。また、プログラム実行ブロック２１４には、端末情報管理部２１６が必要に応じて接続される。
【００２５】
なお、端末情報管理部２１６では、例えば、ＧＰＳ（地球測位システム）等に基づく位置情報や、通信キャリアを識別するキャリアＩＤ、端末機種ＩＤなど、端末であるデジタル放送受信機（ＤＴＶ受信機）１０４が持つ各種の端末情報を保持管理している。
【００２６】
データ解釈ブロック２１１では、多重分離部２０３から入力する放送データ信号の各データ領域を判断し、字幕／文字スーパ等の映像関連データ領域のデータは表示部２１０に与え、複数の接続先情報領域のデータは接続先情報抽出ブロック２１２に与え、接続先決定プログラム領域のデータはプログラム抽出ブロック２１３に与える。
【００２７】
接続先情報抽出ブロック２１２では、複数の接続先情報領域のデータから複数の接続先情報をそれぞれ取り出し、プログラム実行ブロック２１４に与える。プログラム抽出ブロック２１３は、接続先決定プログラム領域のデータから処理プログラムを取り出し、プログラム実行ブロック２１４に与える。
【００２８】
プログラム実行ブロック２１４では、プログラム抽出ブロック２１３から取得した処理プログラムを実行して接続先情報抽出ブロック２１２から入力する複数の接続先情報の中から１つの接続先を選択する。この先の選択は、ユーザ入力ブロック２１５からの入力情報と端末情報管理部２１６からの端末情報の何れかに基づき行われる。
【００２９】
プログラム実行ブロック２１４が選択した１つの接続先情報は、通信制御ブロック２０７に与えられる。通信制御ブロック２０７では、インターネット１０３に接続される複数の通信サーバ１０２の中でプログラム実行ブロック２１４が選択した接続先情報を持つ通信サーバと接続しその通信を制御する。その選択された通信サーバが送信する番組関連情報は、インターネット１０３、通信制御ブロック２０７を介して通信データ解釈ブロック２０８に入力する。
【００３０】
通信データ解釈ブロック２０８は、受信した番組関連情報の内容を解析して表示部２１０やプログラム実行ブロック２１４に送る。表示部２１０に表示された番組関連情報を見た視聴者がユーザ入力ブロック２１５を用いてプログラム実行ブロック２１４に指示を与えると、プログラム実行ブロック２１４は視聴者の指示に従った処理を行い、その処理内容（ユーザ情報）を通信データ解釈ブロック２０８に与える。通信データ解釈ブロック２０８は、プログラム実行ブロック２１４から受け取ったユーザ情報を通信制御ブロック２０７に与え、現在接続している通信サーバに送信させる。
【００３１】
要するに、図１において、ＤＴＶ受信機１０４は、受信した処理プログラムを実行することで、受信した複数の接続先情報から１つの接続先を選択し、その選択した１つの接続先に対して接続する。これによって、ＤＴＶ受信機１０４が接続する通信サーバは、複数の通信サーバに分散されるので、各通信サーバの処理負荷は軽減される。
【００３２】
このとき、ＤＴＶ受信機１０４では、上記したように、複数の接続先情報から１つの接続先を、ユーザ入力ブロック２１５からの入力情報を用いて選択する場合と、端末情報管理部２１６からの端末情報を用いて選択する場合との何れかで行うことができる。それらの事例の具体例が実施の形態２〜５に示されている。
【００３３】
ユーザ入力ブロック２１５からの入力情報を用いて選択する場合は、例えば、通信サーバでは、端末（ＤＴＶ受信機１０４）からの応答を用いて端末利用者の個人プロファイルに基づき集計することができ、端末利用者では、通信サーバにおける異なるコンテンツへのアクセスが可能となる。
【００３４】
また、端末情報管理部２１６からの端末情報をパラメータとして用いて選択する場合には、例えば、端末（ＤＴＶ受信機１０４）からの応答を地域毎や利用場所毎に集計する（実施の形態４）、端末（ＤＴＶ受信機１０４）のキャリア毎や機種毎に集計する（実施の形態５）ことが容易に可能となる。
【００３５】
（実施の形態２）
本実施の形態２では、図１、図３、図４を参照して、全国放送における番組関連情報の提供への適用例について説明する。図３は、本発明の実施の形態２に係る放送通信連携システムの要部構成を示すブロック図である。図４は、図３に示すデジタル放送受信機（ＤＴＶ受信機）の動作を説明するフローチャートである。
【００３６】
図３では、図１に示したＤＴＶ受信機１０４と、インターネット１０３に接続される複数の通信サーバ３０１、３０２、３０３とが示されている。
【００３７】
全国放送を行う放送局１０１は、予め予想される番組の視聴者数に応じて、それら視聴者からの要求を処理できる台数分の通信サーバ３０１、３０２、３０３を用意する。そして、放送局１０１は、これら通信サーバ３０１、３０２、３０３に、同一の番組関連詳細情報３０５を格納するようにする。
【００３８】
放送局１０１は、放送番組とともに、簡易な番組関連情報、複数の通信サーバ３０１、３０２、３０３の接続先情報、複数のサーバ接続先から１つを選択する接続先選択処理プログラム（スクリプト）を多重化してテレビ電波に載せて放送する。なお、接続先選択処理プログラムは、複数の接続先情報からランダムに１つの接続先を選択するアルゴリズムを有している。
【００３９】
端末（ＤＴＶ受信機１０４）では、図４において、データ解釈ブロック２１１にて多重分離部２０３からの放送データを解析する（ステップＳＴ４０１）。これによって、表示部２１０に、放送番組とともに、簡易な番組関連情報が表示される。並行して、接続先情報抽出ブロック２１２にて複数の接続先情報がそれぞれ抽出される（ステップＳＴ４０２）。また、プログラム抽出ブロック２１３にて接続先選択処理プログラムが抽出される（ステップＳＴ４０３）。
【００４０】
プログラム実行ブロック２１４では、ユーザ入力ブロック２１５から、より詳細な番組関連情報の取得要求が入力すると、接続先選択処理プログラムを実行し、複数の接続先情報に中から１つをランダムに特定する（ステップＳＴ４０４）。これによって、その特定した通信サーバに対し、より詳細な番組関連情報の取得要求が送信され、その特定した通信サーバから送られてくる番組関連詳細情報が表示部２１０に表示される（ステップＳＴ４０５）。
【００４１】
このように、本発明に係る放送通信連携システムを全国放送における番組関連情報の提供に用いた場合には、端末（ＤＴＶ受信機）からの詳細情報の問い合わせが複数の通信サーバに分散して行われ、サーバ１台あたりの負荷が軽減されるので、各通信サーバでは、ユーザからの問い合わせに対して、短時間内に応答を返すことができ、ユーザの使い勝手が向上する。また、各通信サーバでは、異なるコンテンツへのアクセスにも容易に対応することが可能になる。
【００４２】
（実施の形態３）
本実施の形態３では、図１、図５、図６を参照して、視聴者参加型番組における回答結果の集計への適用例について説明する。なお、図５は、本発明の実施の形態３に係る放送通信連携システムの要部構成を示すブロック図である。図６は、図５に示すデジタル放送受信機（ＤＴＶ受信機）の動作を説明するフローチャートである。
【００４３】
図５では、図１に示したＤＴＶ受信機１０４と、インターネット１０３に接続される複数の通信サーバ５０１、５０２、５０３とが示されている。なお、ＤＴＶ受信機１０４では、図２に示した構成において端末情報管理部２１６を省いた構成になっている。
【００４４】
視聴者参加型番組として、例えば、視聴者がクイズに回答して得点を競うような番組を放送する場合、放送局１０１は、予め予想される番組の視聴者数を、性別、年代等の個人プロファイル毎に予想し、プロファイル毎の参加者からの要求を処理できる台数分だけの通信サーバ５０１、５０２、５０３を用意する。例えば、「２０代男」向け用の通信サーバ５０１、「２０代女」向け用の通信サーバ５０２、「×代×」向け用の通信サーバ５０３と個人プロファイル毎に各種用意する。
【００４５】
そして、放送局１０１では、これらの通信サーバ５０１、５０２、５０３に、受信したユーザからの回答フォーマットに基づきクイズの得点を判定し、その結果をユーザに対して返送する機能や、収集したクイズ結果を集計し、平均値算出等の統計処理を行う機能などを用意する。
【００４６】
放送局１０１は、放送番組とともに、回答フォーマット、回答フォーマットを送信する複数の通信サーバの接続先情報、複数の接続先から１つを選択する接続選択処理プログラム（スクリプト）を多重化してテレビ電波に載せて放送する。
【００４７】
端末（ＤＴＶ受信機１０４）では、図６において、データ解釈ブロック２１１にて多重分離部２０３からの放送データを解析し回答フォーマットを取得する（ステップＳＴ６０１）。これによって、表示部２１０に、クイズ番組の回答フォーマットが表示され、視聴者にクイズへの回答を促す。並行して、接続先情報抽出ブロック２１２にて複数の接続先情報がそれぞれ抽出される（ステップＳＴ６０２）。また、プログラム抽出ブロック２１３にて接続先選択処理プログラムが抽出される（ステップＳＴ６０３）。
【００４８】
プログラム実行ブロック２１４では、複数の接続先情報を入力として接続先選択処理プログラムを実行する（ステップＳＴ６０４）。その実行過程で接続先選択処理プログラムではユーザ入力ブロック２１５に対して、ユーザの性別、年代等の情報入力を促す（ステップＳＴ６０５）。
【００４９】
プログラム実行ブロック２１４では、ユーザ入力ブロック２１５からユーザの性別、年代等の情報を取得すると、それに基づき接続先選択処理プログラムを実行し、複数の接続先情報の中から回答フォーマット送信先の接続先サーバを特定する（ステップＳＴ６０６）。
【００５０】
表示部２１０に表示された回答フォーマットにユーザが入力し、回答ボタンを押下すると、接続先選択処理プログラムが特定した接続先サーバに回答フォーマットが送信される（ステップＳＴ６０７）。
【００５１】
各通信サーバは、回答フォーマットに基づき参加者のクイズ結果を判定するとともに、その結果をユーザに対して返送する。また、各通信サーバは、収集したクイズ結果を集計し、平均値算出等の統計処理を行う。全ての参加者の結果をまとめる全国集計サーバは、プロファイル毎の集計値を持つ各通信サーバからデータを集めて、全国規模のデータ集計を行う。
【００５２】
このように、本発明に係る放送通信連携システムを視聴者参加型番組における回答結果の集計に用いた場合には、複数の通信サーバが個人プロファイル毎に分担して処理するので、ユーザのプロファイルに基づく統計処理を効率的に実行することができる。
【００５３】
（実施の形態４）
本実施の形態４では、図１、図７、図８を参照して、全国放送における各局ごとのアンケート集計への適用例について説明する。なお、図７は、本発明の実施の形態４に係る放送通信連携システムの要部構成を示すブロック図である。図８は、図７に示すデジタル放送受信機（ＤＴＶ受信機）の動作を説明するフローチャートである。
【００５４】
図７では、図１に示したＤＴＶ受信機１０４とインターネット１０３に接続される複数の通信サーバ７０１、７０２、７０３が示されている。なお、ＤＴＶ受信機１０４では、図２に示した端末情報管理部２１６も用いる構成になっている。
【００５５】
キー局と複数の地方局とが同一の番組を放送する全国放送において、キー局及び地方局の各放送局１０１は、それぞれ、視聴者からのアンケートフォーマットを受信し集計する通信サーバを用意する。図７では、局１用の通信サーバ７０１、局２用の通信サーバ７０２、局３用の通信サーバ７０３をそれぞれ設ける例が示されている。
【００５６】
キー局及び地方局の各放送局１０１は、放送番組とともに、アンケートフォーマット、アンケートフォーマット送信先である複数の通信サーバの接続先情報、複数の接続先から１つを選択する接続選択処理プログラム（スクリプト）を多重化してテレビ電波に載せて放送する。
【００５７】
端末（ＤＴＶ受信機１０４）では、図８において、データ解釈ブロック２１１にて多重分離部からの放送データを解析し、アンケートフォーマットを取得する（ステップＳＴ８０１）。これによって、表示部２１０に、アンケートフォーマットが表示され、視聴者にアンケートへの回答を促す。並行して、接続先情報抽出ブロック２１２にて複数の接続先情報がそれぞれ抽出される（ステップＳＴ８０２）。また、プログラム抽出ブロック２１３にて接続先選択処理プログラムが抽出される（ステップＳＴ８０３）。さらに、端末情報管理部２１６にて現在の端末位置情報が取得される（ステップＳＴ８０４）。
【００５８】
プログラム実行ブロック２１４では、複数の接続先情報及び現在位置情報を入力として接続先選択処理プログラムを実行し、現在視聴中の放送局の接続先サーバを特定する（ステップＳＴ８０５）。表示部２１０に表示されているアンケートフォーマットにユーザが入力し、回答ボタンを押下すると、接続先選択処理プログラムが特定した接続先サーバにアンケートフォーマットが送信される（ステップＳＴ８０６）。各放送局の通信サーバでは、受信したアンケートを集計し、番組に対する評価等を行う。
【００５９】
このように、本発明に係る放送通信連携システムを全国放送における各局毎のアンケート集計に用いた場合には、端末からのアンケートの送信は、複数の通信サーバ中の１つに対して行われるので、各放送局では独自にアンケート結果の集計を行うことができる。
【００６０】
（実施の形態５）
本実施の形態５では、図１、図９、図１０を参照して、端末機種毎に異なる内容を持つアンケートの実施への適用例について説明する。なお、図９は、本発明の実施の形態５に係る放送通信連携システムの要部構成を示すブロック図である。図１０は、図９に示すデジタル放送受信機（ＤＴＶ受信機）の動作を説明するフローチャートである。
【００６１】
図９では、図１に示したＤＴＶ受信機１０４とインターネット１０３に接続される複数の通信サーバ９０１、９０２、９０３が示されている。なお、ＤＴＶ受信機１０４では、図２に示した端末情報管理部２１６も用いる構成になっている。
【００６２】
放送局１０１は、端末（ＤＴＶ受信機１０４）の機種毎に異なるアンケートを実施するため、通信キャリアの数だけの通信サーバを用意する。そして、各通信サーバにその通信キャリアに対応した機種ＩＤを持つ端末用のアンケートフォーマットを格納して置く。このアンケートフォーマットは、機種毎に異なっている。
【００６３】
図９では、通信サーバ９０１は通信キャリアＡ用、通信サーバ９０２は通信キャリアＢ用、通信サーバ９０３は通信キャリアＣ用であるとしている。そして、通信サーバ９０１には端末１用のアンケートフォーマット９０５が格納され、通信サーバ９０２には端末２用のアンケートフォーマット９０６が格納され、通信サーバ９０３には端末３のアンケートフォーマット９０７が格納されるとしている。
【００６４】
放送局１０１は、放送番組とともに、アンケートフォーマット取得先である複数の通信サーバの接続先情報、複数のサーバ接続先から１つを選択する接続先選択処理プログラム（スクリプト）を多重化してテレビ電波に載せて放送する。
【００６５】
端末（ＤＴＶ受信機１０４）では、図１０において、データ解釈ブロック２１１にて多重分離部２０３からの放送データを解析する（ステップＳＴ１００１）。これによって、表示部２１０には、アンケートフォーマットの取得要求を促す表示が行われる。並行して、接続先情報抽出ブロック２１２にて複数の接続先情報がそれぞれ抽出される（ステップＳＴ１００２）。またプログラム抽出ブロック２１３にて接続先選択処理プログラムが抽出される（ステップＳＴ１００３）。さらに、端末情報管理部２１６にて端末の機種ＩＤが取得される（ステップＳＴ１００４）。
【００６６】
プログラム実行ブロック２１４では、ユーザ入力ブロック２１５からのアンケートフォーマット取得要求を受けて端末情報管理部２１４から端末の機種ＩＤを取得し、それと複数の接続先情報とを入力として接続先選択処理プログラムを実行し、アンケートフォーマット取得先の接続先サーバを特定する（ステップＳＴ１００５）。これによって、接続先選択処理プログラムが特定した接続先サーバからアンケートフォーマットが取得され、表示部２１０に表示される（ステップＳＴ１００６）。これによって、機種毎の端末では、機種毎のアンケートに対する回答を行うことができるようになる。
【００６７】
このように、本発明に係る放送通信連携システムを端末機種毎に異なる内容を持つアンケートの実施に用いた場合には、機種の異なる端末が必要とするアンケートフォーマットの取得先を複数の通信サーバに分担させることができるので、通信サーバの処理負荷を増大させることなく、機種毎に異なるアンケートを実施することができる。
【産業上の利用可能性】
【００６８】
本発明は、ネットワークからアクセス可能な通信サーバに放送番組の関連情報を保持して双方向サービスを提供する放送通信連携システムにおいて、通信サーバの通信負荷を軽減するのに好適である。
【図面の簡単な説明】
【００６９】
【図１】本発明の実施の形態１に係る放送通信連携システムの全体構成図
【図２】図１に示すデジタル放送受信機（ＤＴＶ受信機）の構成例を示すブロック図
【図３】本発明の実施の形態２に係る放送通信連携システムの要部構成を示すブロック図
【図４】図３に示すデジタル放送受信機（ＤＴＶ受信機）の動作を説明するフローチャート
【図５】本発明の実施の形態３に係る放送通信連携システムの要部構成を示すブロック図
【図６】図５に示すデジタル放送受信機（ＤＴＶ受信機）の動作を説明するフローチャート
【図７】本発明の実施の形態４に係る放送通信連携システムの要部構成を示すブロック図
【図８】図７に示すデジタル放送受信機（ＤＴＶ受信機）の動作を説明するフローチャート
【図９】本発明の実施の形態５に係る放送通信連携システムの要部構成を示すブロック図
【図１０】図９に示すデジタル放送受信機（ＤＴＶ受信機）の動作を説明するフローチャート
【図１１】従来の放送通信連携システムの全体構成図
【符号の説明】
【００７０】
１０１  放送局
１０２、３０１〜３０３、５０１〜５０３、７０１〜７０３、９０１〜９０３  通信サーバ
１０３  インターネット（ネットワーク）
１０４  デジタル放送受信機（ＤＴＶ受信機）
２０１  テレビ受信アンテナ
２０２  受信ブロック
２０３  多重分離部
２０４  音声処理ブロック
２０５  映像処理ブロック
２０６  データ処理ブロック
２０７  通信制御ブロック
２０８  通信データ解釈ブロック
２１１  データ解釈ブロック
２１２  接続先情報抽出ブロック
２１３  プログラム抽出ブロック
２１４  プログラム実行ブロック
２１５  ユーザ入力ブロック
２１６  端末情報管理部
【図１】
2006148563.tif 000003
【図２】
2006148563.tif 000004
【図３】
2006148563.tif 000005
【図４】
2006148563.tif 000006
【図５】
2006148563.tif 000007
【図６】
2006148563.tif 000008
【図７】
2006148563.tif 000009
【図８】
2006148563.tif 000010
【図９】
2006148563.tif 000011
【図１０】
2006148563.tif 000012
【図１１】
2006148563.tif 000013